(57)【要約】      （修正有）【課題】静電吸着分離方式を持つシート搬送装置において、紙詰まり等が発生し、シート搬送装置内のシート処理が必要となった場合のシート処理性を向上させる。【解決手段】吸着ベルト２を張架する下流側張架ローラ５とシート搬送方向上流側に位置する上流側張架ローラ６を備えた吸着分離ユニット１１０と、吸着ベルト２を帯電させる電極部材とを有し、上流側張架ローラ６より上流側に設ける揺動支点を中心に最上位シート１の吸着位置と吸着したシートを搬送する給送位置の間を往復するように吸着分離ユニット１１０を揺動させる。吸着ベルト２と並列に突き出し部材２４を備えた突き出しベルト２５を有し、突き出しベルト２５は張架ローラ５、６を保持する回転軸５ａ、６ａ上に張架され、突き出しベルト２５が回転すると突き出し部材２４は吸着ベルト２のシート吸着面から突出する。【選択図】図５
2017007832.tif 000002
【特許請求の範囲】
【請求項１】
積載されたシート束の上面に対向配置された吸着ベルトと、
該吸着ベルトを張架する第１張架ローラと前記第１張架ローラのシート搬送方向上流側に位置する第２張架ローラを備えた吸着分離ユニットと、
前記吸着ベルトの表面を帯電させる帯電手段と、
前記第２張架ローラよりもシート搬送方向上流側に設けられた揺動支点を中心に、前記シート束の最上位シートを吸着する吸着位置と吸着した最上位シートを搬送する給送位置の間を往復するように、前記吸着分離ユニットを揺動する駆動手段と、
を備えるシート搬送装置において、
前記吸着ベルトと並列に突き出し部材を備えた突き出しベルトを有し、
該突き出しベルトは、前記吸着ベルトを長架している第１長架ローラと第２長架ローラを保持している回転軸上に設けられた張架ローラ間で張架され、
前記突き出しベルトが回転すると、前記突き出し部材が前記吸着ベルトのシート吸着面から突出する、
ことを特徴とするシート搬送装置。
【請求項２】
請求項１に記載のシート搬送装置において、
前記突き出し部材の近傍に除電部材を有し、
前記突き出しベルトの回転に伴い、前記突き出し部材と共に前記除電部材が前記シート吸着面から突出する、
ことを特徴とするシート搬送装置。
【請求項３】
請求項１又は２に記載のシート搬送装置において、
前記突き出しベルトは、前記吸着ベルトがシート搬送方向に回転する時には回動せず、前記吸着ベルトがシート搬送方向と逆方向に回転した時には、前記吸着ベルトと共に連れ回って前記吸着ベルトの前記シート吸着面から前記突き出し部材が突出する、
ことを特徴とするシート搬送装置。
【請求項４】
請求項２に記載のシート搬送装置において、
前記除電部材は前記突き出しベルトを介して、シート搬送方向と直角方向に掛け渡されている、
ことを特徴とするシート搬送装置。
【請求項５】
請求項１又は２に記載のシート搬送装置において、
前記突き出し部材は、前記吸着ベルトが搬送方向に回動してシートの繰り出し動作を行っている時には、前記シート吸着面と反対位置に退避している、
ことを特徴とするシート搬送装置。
【請求項６】
請求項１乃至４のいずれか一項に記載のシート搬送装置において、
前記吸着分離ユニットがシート幅方向に複数で構成されている、
ことを特徴とするシート搬送装置。
【請求項７】
請求項１乃至５のいずれか一項に記載のシート搬送装置を備えたことを特徴とする画像形成装置。
【請求項８】
請求項７に記載の画像形成装置は、デジタルコピー機、プリンタ、ファクシミリのいずれかひとつ以上の機能を有することを特徴とする画像形成装置。
【請求項９】
請求項７に記載の画像形成装置は、オフセット印刷機の機能を有することを特徴とする画像形成装置。
【発明の詳細な説明】
【技術分野】
【０００１】
本発明は、シート搬送装置と、これを備えた画像形成装置に関する。
【背景技術】
【０００２】
デジタルコピー機、ファクシミリ、オフセット印刷機等の画像形成装置に用いられるシート搬送装置においては、積載された原稿や記録紙等のシートを分離して搬送する方法として、吸着ベルトに電界を形成し、これをシートに接触させて吸着し分離する静電吸着分離方式が提案されている。
【０００３】
例えば特許文献１に記載の静電吸着分離方式のシート搬送装置は、吸着ベルトを２対の張架ローラで支持した吸着分離ユニット自体が、シート吸着位置と、シート搬送位置のシート搬送面に対して垂直方向の異なる設定位置を往復移動可能に支持されている。そして、吸着分離ユニットの保持部の移動により、往復移動する構成となっている。さらに、この吸着位置から搬送位置への移動により、シートの分離動作を行っている。すなわち特許文献１に用いられている給紙動作は、吸着分離ユニットをシート束に押し当てた後に搬送位置へと移動させることにより、シートを分離させて搬送動作を行っている。
【発明の概要】
【発明が解決しようとする課題】
【０００４】
しかしながら、前記特許文献１に記載の装置に代表される静電吸着分離方式の搬送装置では、紙詰まり等でシートの繰り出し動作が緊急停止すると、シートが残留電荷によって吸着ベルトに貼り付いたままの状態で停止する。そして、積載されたシート上に落ちない状態となる。吸着ベルトにシートの全体、又は一部が貼り付いたままの状態で、紙詰まりを起こしたシートを処理しようとすると、シートが目視できずにシート処理を忘れることがある。そして、積載シートを引き出す際に、シートの一部が引っ掛かり、紙詰まりしたシートの処理を困難にしてしまう。
【０００５】
本発明は上述の問題点に鑑み、静電吸着分離方式を持つシート搬送装置において、紙詰まり等が発生し、シート搬送装置内のシート処理が必要となった場合のシート処理性を向上させることを目的としている。
【課題を解決するための手段】
【０００６】
本発明に係るシート搬送装置は、積載されたシート束の上面に対向配置された吸着ベルトと、該吸着ベルトを張架する第１張架ローラと前記第１張架ローラのシート搬送方向上流側に位置する第２張架ローラを備えた吸着分離ユニットと、前記吸着ベルト表面を帯電させる帯電手段と、前記第２張架ローラよりもシート搬送方向上流側に設けられた揺動支点を中心に、前記シート束の最上位シートを吸着する吸着位置と吸着した最上位シートを搬送する給送位置の間を往復するように、前記吸着分離ユニットを揺動する駆動手段と、を備えるシート搬送装置において、前記吸着ベルトと並列に突き出し部材を備えた突き出しベルトを有し、該突き出しベルトは、前記吸着ベルトを長架している第１長架ローラと第２長架ローラを保持している回転軸上に設けられた張架ローラ間で張架され、前記突き出しベルトが回転すると、前記突き出し部材が前記吸着ベルトのシート吸着面から突出する、ことを特徴とする。
【発明の効果】
【０００７】
本発明によれば、静電吸着方式のシート搬送装置において、突き出しベルトが回動し、突き出しベルトに備えた突き出し部材がシート吸着面から突出するように構成したことで、吸着ベルトに貼り付いたシートを押し剥がすことができるため、シート処理性が向上する。
【図面の簡単な説明】
【０００８】
【図１】本発明に係るシート搬送装置の一例の構成図である。
【図２】本発明に係る吸着分離ユニットの一例の構成図である。
【図３】吸着ベルトへの帯電方式を示す図である。
【図４】吸着分離ユニットの吸着搬送動作の説明図である。
【図５】突き出しベルト、突き出し部材、除電部材の動作の説明図である。
【図６】突き出しベルト、突き出し部材、除電部材を含んだ吸着分離ユニットの平面図である。
【発明を実施するための形態】
【０００９】
本発明の実施の形態を説明する。本発明は、画像形成装置の用紙搬送部に関するもので、以下の特徴を有する。
要するに、片面印刷時に羽根を備えた反転搬送ローラ軸を、反転排紙口から外気を取り込むように回転制御する。このことによって、排紙ガイド板や搬送ローラ付近に到達する水蒸気に対して、反転排出口から湿度の低い外気を送風することが特徴になっている。上述の本発明の特徴について、以下に添付図面を参照して詳細に説明する。
【００１０】
図１に示すように、シート搬送装置１００は、複数枚のシートを積載して収容するシート材収容部としての給紙カセット１１とを備える。また、給紙カセット１１上の複数枚のシートからなるシート束１から最上位に位置する最上位シート１ａを分離して搬送する吸着分離ユニット１１０を備える。また、この吸着分離ユニット１１０を揺動させる手段である揺動機構２００、吸着ベルト２を回転駆動させる駆動機構（図示せず）をも備える。給紙カセット１１は、積層された複数枚のシート束１を積載する底板７を有しており、底板７と給紙カセット１１の底部との間には、底板７を支持する支持部材８が回動自在に取り付けられている。
【００１１】
以下、本発明の実施に関わる吸着分離ユニット１１０の構成を説明する。
図２に示すように、吸着分離ユニット１１０は、下流側張架ローラ５と、上流側張架ローラ６とに張架される吸着ベルト２を備えている。吸着ベルト２は、１０８Ω・ｃｍ以上の抵抗を有する５０μｍ程度の厚さのポリエチレンテレフタレートからなる表層と、アルミ蒸着により形成された１０６Ω・ｃｍ以下の抵抗を有する導電層とを有する２層構造となっている。吸着ベルト２を上述のような２層構造とすることで、導電層を接地された対向電極として使用することができ、吸着ベルト２に電荷を与える帯電手段としての電極部材３を、吸着ベルト２の表層に接した位置であればどこでも設けることができる。
【００１２】
図１に示す装置においては電極部材３は帯電ローラ式としているが、図３に示すように帯電手段として帯電ブレード式の電極部材４０を用いても良い。下流側張架ローラ５は抵抗値が１０６Ωｃｍの導電性ゴム層が表面に設けられ、上流側張架ローラ６は金属ローラである。下流側張架ローラ５及び上流側張架ローラ６はともに接地されている。下流側張架ローラ５は吸着ベルト２からシートを曲率により分離するのに適した小径にされている。すなわち、下流側張架ローラ５の径を小さく設定して曲率を大きくすることにより、吸着ベルト２に吸着されて搬送されたシートが、下流側張架ローラ５から離れて搬送方向下流側のガイド部材１０に受け渡すことができる。また、図２に示すように、下流側張架ローラ５の軸（下流側張架ローラ軸）５ａは、ハウジング２０に回転自在に支持されている。上流側張架ローラ６の軸（上流側張架ローラ軸）６ａは、ハウジング２０に対してシート搬送方向に摺動可能に保持された軸受２２に回転支持されている。軸受２２は、スプリング２１によりシート搬送方向上流側へ付勢されている。これにより、上流側張架ローラ６が、シート搬送方向上流側に付勢され、吸着ベルト２に張力を付与している。
【００１３】
以下、本発明の実施に関わる吸着分離ユニット１１０の駆動構成を説明する。
図１に示すように、吸着分離ユニット１１０は、吸着ベルト２を揺動自在に保持するためのブラケット１２がベルト幅方向両端に設けられている。各ブラケット１２は、上流側張架ローラ６よりもシート搬送方向上流側に設けられた支持軸１４に回転自在に支持され、各ブラケット１２に対応した駆動ギア１５により回転駆動可能となっている。各駆動ギア１５は駆動軸１６に固定されており、揺動駆動源１７により一体で駆動可能となっている。揺動駆動源１７を駆動させることで、吸着分離ユニット１１０は、支持軸１４を支点にして揺動することができる。具体的には、図４に示すように揺動する。すなわち、最上位シート１ａを吸着ベルト２に吸着させる吸着位置と、吸着ベルト２に吸着した最上位シート１ａを搬送するための給送位置との間を揺動する。
【００１４】
以下、本実施形態におけるシート剥がし動作について説明する。
既述のように特許文献１に記載の静電吸着分離方式の搬送装置では、紙詰まり等でシートの繰り出し動作が緊急停止すると、シートが残留電荷によって吸着ベルトに貼り付いたままの状態で停止し、紙詰まりしたシートの処理を困難にしてしまう場合がある。本実施形態では、突き出しベルトに備えた突き出し部材及び除電部材によって吸着ベルトからシートを剥がすことで、この問題を解決している。以下、これについて説明する。
【００１５】
図５（ａ）に示すように、突き出し部材２４を備えた突き出しベルト２５が、上流側張架ローラ軸６ａ及び下流側張架ローラ軸５ａを回転中心として、吸着ベルト２と並列に張架されている。そして、吸着分離ユニット１１０が吸着位置にある時、突き出し部材２４は退避位置センサ２６によって検知される。その状態では、シート吸着面と反対位置に退避していることで、吸着ベルト２の吸着面から突き出すことなく、安定した収納状態を保つことができるため、吸着動作を妨げることがない。また、図５（ｂ）に示すように、突き出しベルト２５は、上流側張架ローラ軸６ａ及び、下流側張架ローラ軸５ａが搬送方向に回転している時には、回転駆動が突き出しベルト２５に伝わらないクラッチ２７を介して設けられている。そのため、シート繰り出し動作中でも突き出しベルト２５は回動しない。
【００１６】
このような構成によって、吸着分離ユニット１１０が分離・搬送動作を行う時にも、突き出し部材２４は、退避位置センサ２６によって検知され、吸着ベルト２の吸着面から突き出すことなく、シート吸着時の退避位置に位置し続ける。そのため、安定したシート繰り出し動作が可能になっている。
【００１７】
図５（ｃ）は、突き出しベルト２５に備えた突き出し部材２４、及び除電部材２８によって、シートを押し剥がす動作を示す。突き出しベルト２５は、上流側張架ローラ軸６ａ及び、下流側張架ローラ軸５ａが搬送方向と逆に回転した時には、回転駆動が突き出しベルト２５に伝わるクラッチ２７を介して設けられている。そのため、搬送方向と逆方向に吸着ベルト２を回転させると、回転駆動が突き出しベルト２５に伝わり、突き出しベルと２５上に設けられた突き出し部材２４、及び除電部材２８がシート吸着面に押し出されていく。このことによって、シート表面に帯電した電荷を除電しながら、ベルト吸着面からシートを押し剥がす動作を行う。本実施形態では、突き出し部材２４の近傍で前後両側にシート搬送方向と直角方向に掛け渡して除電部材２８を配置する構成としたが、除電性能が十分な場合は、両側配置に限るものではなく、片側のみの配置でも良い。突き出し部材２４、及び除電部材２８の突出動作はシート搬送と同一駆動源で行うことができるため、安価で簡単な構成でこの動作を実現できる。
【００１８】
図６は吸着分離ユニット１１０の平面図である。図６（ａ）は１組の吸着分離ユニット１１０でシート幅方向全域を覆うように設けた構成としている。ただし、この本構成では、突き出し部材２４がシートの両端を押す構成となり、シート中央部を押し剥がすことができないため、押し剥がす効果が限定的となる可能性がある。そこで、図６（ｂ）のように、２組の吸着分離ユニット１１０でシート幅方向全域を覆う構成にすることができる。すなわち、吸着分離ユニット１１０のユニット間に突き出し部材２４を備えた突き出しベルト２５を設け、シート中央部を押し剥がすことを可能にすれば、シートをより効果的に押し剥がすことができる。また、シート中央部を押し剥がすことが可能となるため、小サイズのシートにも対応できる。本実施形態では、２組の吸着分離ユニット１１０を設けた構成としたが、３組以上の吸着分離ユニット１１０を設けて、吸着分離ユニット１１０の間から突き出す突き出し部材２４を多数備える構成とすれば、押し剥がす効果を向上させ得る。
【００１９】
すなわち、上述の静電吸着方式のシート搬送装置１００においては、紙詰まり等で緊急停止すると、シートが残留電荷によって吸着ベルト２に貼り付いたままの状態で停止することがある。しかし、突き出しベルト２５が回動し、突き出しベルト２５に備えた突き出し部材２４がシート吸着面から突出するように構成することで、吸着ベルト２に貼り付いたシートを押し剥がして、シート処理性を向上させ得る。また、吸着ベルト２をシート搬送方向と逆に回転させた時のみ、突き出しベルト２５が連れ回りして、突き出しベルト２５に備えた突き出し部材２４がシート吸着面から突出するように構成できる。こうすることで、シート搬送と突き出し部材２４の突出動作を同一駆動源の正逆転で行うことができる。同一駆動源を使用することで、安価で簡単な構成とすることができる。さらに、突き出しベルト２５が回転して、シート吸着面から突き出し部材２４が突き出すと同時に、シート幅方向の全域に渡った除電部材２８で、シート幅全域のシート表面に帯電した電荷を除電する。このことによって、突き出し部材２４によるシート押し剥がし性を向上させることができる。またさらに、突き出しベルト２５に備えた突き出し部材２４は、吸着ベルト２が搬送方向に回動し、シートの繰り出し動作を行っている時には、吸着面と反対位置に退避している。このことで、シートの繰り出し動作を妨げることなく、安定したシート搬送を可能にすることができる。吸着分離ユニット１１０をシート幅方向に複数で構成し、突き出し部材２４を備えた突き出しベルト２５を吸着ベルト２間に複数設けることで、吸着ベルト２からシートを押し剥がす効果を向上させることができる。また、シート幅方向中央付近で突き出し部材２４を突出することを可能にして、小サイズのシートを押し剥がすことができる。
【００２０】
上述してきた構成のシート搬送装置１００を有するデジタルコピー機、プリンタ、ファクシミリ、オフセット印刷機あるいはこれらの機能を有する機器では、吸着ベルト２に貼り付いたシートを押し剥がす動作を良好にすることができる。そして、外気を送風するファンを設置せずに、定着装置後のガイド板や搬送ローラ付近に到達する水蒸気に外気を送風し、結露を抑制可能とすることができる。
【００２１】
本発明は以上説明した実施形態に限定されるものではなく、多くの変形が本発明の技術的思想内で当分野において通常の知識を有する者により可能である。
【符号の説明】
【００２２】
１      ：シート束
１ａ    ：最上位シート
２      ：吸着ベルト
３、４０      ：電極部材
５      ：下流側張架ローラ
５ａ    ：下流側張架ローラ軸
６      ：上流側張架ローラ
６ａ    ：上流側張架ローラ軸
７      ：底板
８      ：支持部材
１０    ：ガイド部材
１１    ：給紙カセット
１２    ：ブラケット
１４    ：支持軸
１５    ：駆動ギア
１６    ：駆動軸
１７    ：揺動駆動源
２０    ：ハウジング
２１    ：スプリング
２２    ：軸受
２４    ：突き出し部材
２５    ：突き出しベルト
２６    ：退避位置センサ
２７    ：クラッチ
２８    ：除電部材
１００  ：シート搬送装置
１１０  ：吸着分離ユニット
２００  ：揺動機構
【先行技術文献】
【特許文献】
【００２３】
【特許文献１】特開２０１２−１８８２３０号公報
【図１】
2017007832.tif 000003
【図２】
2017007832.tif 000004
【図３】
2017007832.tif 000005
【図４】
2017007832.tif 000006
【図５】
2017007832.tif 000007
【図６】
2017007832.tif 000008
【手続補正書】
【提出日】平成27年7月6日(2015.7.6)
【手続補正１】
【補正対象書類名】明細書
【補正対象項目名】０００９
【補正方法】変更
【補正の内容】
【０００９】
本発明の実施の形態を説明する。本発明は、画像形成装置の用紙搬送部に関するもので、以下に添付図面を参照して詳細に説明する。